(57)【要約】【課題】サイドウォール部に刻印した二次元コードの視認性に優れた空気入りタイヤを提供する。【解決手段】空気入りタイヤは、前記サイドウォール部の表面に、表面の凹凸によって互いに識別可能に形成された２種類の濃淡要素でドットパターンを形成した二次元コードと、前記二次元コードが設けられた位置を示す情報を、表面の凹凸又は色彩によって表示した１又は複数の情報表示部と、が設けられている。前記情報は、前記情報表示部が設けられた位置に応じて定められている、ことを特徴とする。【選択図】図３
2020006706.tif 000002
【特許請求の範囲】
【請求項１】
サイドウォール部を備える空気入りタイヤであって、
前記サイドウォール部の表面に、
表面の凹凸によって互いに識別可能に形成された２種類の濃淡要素でドットパターンを形成した二次元コードと、
前記二次元コードが設けられた位置を示す情報を、表面の凹凸又は色彩によって表示した１又は複数の情報表示部と、が設けられ、
前記情報は、前記情報表示部が設けられた位置に応じて定められている、ことを特徴とする空気入りタイヤ。
【請求項２】
前記情報は、文字、記号、及び、文字と記号の組み合わせのいずれか１つにより構成されている、請求項１に記載の空気入りタイヤ。
【請求項３】
前記情報は、前記二次元コードが設けられた位置を、タイヤ周方向と異なる方向に指し示す記号を含む、請求項１に記載の空気入りタイヤ。
【請求項４】
前記情報表示部は複数設けられ、
前記情報表示部は、互いに異なるタイヤ周方向位置、あるいは、互いに異なるタイヤ径方向位置に設けられた情報表示部Ａ及び情報表示部Ｂを有している、請求項１から３のいずれか１項に記載の空気入りタイヤ。
【請求項５】
前記情報表示部Ａ及び前記情報表示部Ｂは、タイヤ周上の対向する位置に設けられている、請求項４に記載の空気入りタイヤ。
【請求項６】
前記情報表示部Ａ及び前記情報表示部Ｂは、タイヤ径方向の同じ位置に設けられている、請求項４又は５に記載の空気入りタイヤ。
【請求項７】
前記情報表示部は、さらに、情報表示部Ｃを有し、
前記情報表示部Ａ、前記情報表示部Ｂ、及び前記情報表示部Ｃのそれぞれを、前記空気入りタイヤの回転中心からタイヤ径方向に見たときの方位角は、互いに１１０〜１３０°離れている、請求項４に記載の空気入りタイヤ。
【請求項８】
前記情報表示部は、さらに、情報表示部Ｃ及び情報表示部Ｄを有し、
前記空気入りタイヤのタイヤ径方向に沿った断面高さをＨとしたとき、
前記情報表示部Ａ及び前記情報表示部Ｂは、前記空気入りタイヤのタイヤ径方向の内側の端部から前記断面高さＨの５５％の高さの範囲内であって、タイヤ周上の対向する位置に設けられ、
前記情報表示部Ｃ及び前記情報表示部Ｄは、前記断面高さＨの範囲のうち前記端部から前記断面高さＨの４５％の範囲を除いた高さ範囲内であって、タイヤ周上の対向する位置に設けられている、請求項４から６のいずれか１項に記載の空気入りタイヤ。
【請求項９】
タイヤ幅方向の外側から前記サイドウォール部を見たとき、前記情報表示部Ａ及び前記情報表示部Ｂを結ぶ直線と、前記情報表示部Ｃ及び前記情報表示部Ｄを結ぶ直線とのなす角は７０〜９０°である、請求項８に記載の空気入りタイヤ。
【請求項１０】
前記情報表示部は、さらに、前記情報表示部Ａと同じタイヤ周方向の位置に設けられた情報表示部Ｃを有している、請求項４から６のいずれか１項に記載の空気入りタイヤ。
【請求項１１】
前記情報表示部Ａ及び前記情報表示部Ｂは、タイヤ周方向の同じ位置に設けられている、請求項４に記載の空気入りタイヤ。
【請求項１２】
前記二次元コード及び前記情報表示部が、タイヤ幅方向の両側のサイドウォール部のそれぞれに設けられている、請求項１から１１のいずれか１項に記載の空気入りタイヤ。
【発明の詳細な説明】
【技術分野】
【０００１】
本発明は、空気入りタイヤに関し、具体的には、タイヤのサイドウォール部に刻印した二次元コードを備える空気入りタイヤに関する。
【背景技術】
【０００２】
近年、空気入りタイヤ（以降、単にタイヤという）のサイドウォール部に、情報を記録した二次元コードを設けることが提案されている。二次元コードは、一次元コードに較べて多くの情報を含ませることができるので、種々の情報を二次元コードに含ませて、タイヤを管理することができる。特に、タイヤ側面部（サイドウォール部）に、所定のドット孔のパターンで刻印することにより、タイヤ側面部に濃淡要素のパターンで構成された二次元コードを設けることが提案されている（特許文献１）。
【０００３】
タイヤ側面部に、所定のドット孔のパターンを刻印することで形成した二次元コードは、タイヤ側面部が摩耗しない限りは消滅しないので、タイヤの管理を有効に行うことができる。
【先行技術文献】
【特許文献】
【０００４】
【特許文献１】国際公開２００５／０００７１４号
【発明の概要】
【発明が解決しようとする課題】
【０００５】
二次元コードは、タイヤ周上の所定の位置に設けられるため、車両を停止させるたびに、タイヤ周上の異なる位置に配置されうる。このため、タイヤ側面部を見たときに、二次元コードをすぐに見つけられない場合がある。タイヤを見る視点は、通常、タイヤよりも上方にあるため、二次元コードのタイヤ周上の位置によっては死角に入り、二次元コードが見えない、あるいは、二次元コードであることがわかり難い場合がある。
【０００６】
そこで、本発明は、サイドウォール部に刻印した二次元コードの視認性に優れた空気入りタイヤを提供することを目的とする。
【課題を解決するための手段】
【０００７】
本発明の一態様は、サイドウォール部を備える空気入りタイヤである。当該空気入りタイヤは、
前記サイドウォール部の表面に、
表面の凹凸によって互いに識別可能に形成された２種類の濃淡要素でドットパターンを形成した二次元コードと、
前記二次元コードが設けられた位置を示す情報を、表面の凹凸又は色彩によって表示した１又は複数の情報表示部と、が設けられ、
前記情報は、前記情報表示部が設けられた位置に応じて定められている、ことを特徴とする。
【０００８】
前記情報は、文字、記号、及び、文字と記号の組み合わせのいずれか１つにより構成されていることが好ましい。
【０００９】
前記情報は、前記二次元コードが設けられた位置を、タイヤ周方向と異なる方向に指し示す記号を含むことが好ましい。
【００１０】
前記情報表示部は複数設けられ、
前記情報表示部は、互いに異なるタイヤ周方向位置、あるいは、互いに異なるタイヤ径方向位置に設けられた情報表示部Ａ及び情報表示部Ｂを有していることが好ましい。
【００１１】
前記情報表示部Ａ及び前記情報表示部Ｂは、タイヤ周上の対向する位置に設けられていることが好ましい。
【００１２】
前記情報表示部Ａ及び前記情報表示部Ｂは、タイヤ径方向の同じ位置に設けられていることが好ましい。
【００１３】
前記情報表示部は、さらに、情報表示部Ｃを有し、
前記情報表示部Ａ、前記情報表示部Ｂ、及び前記情報表示部Ｃのそれぞれを、前記空気入りタイヤの回転中心からタイヤ径方向に見たときの方位角は、互いに１１０〜１３０°離れていることが好ましい。
【００１４】
前記情報表示部は、さらに、情報表示部Ｃ及び情報表示部Ｄを有し、
前記空気入りタイヤのタイヤ径方向に沿った断面高さをＨとしたとき、
前記情報表示部Ａ及び前記情報表示部Ｂは、前記空気入りタイヤのタイヤ径方向の内側の端部から前記断面高さＨの５５％の高さの範囲内であって、タイヤ周上の対向する位置に設けられ、
前記情報表示部Ｃ及び前記情報表示部Ｄは、前記断面高さＨの範囲のうち前記端部から前記断面高さＨの４５％の範囲を除いた高さ範囲内であって、タイヤ周上の対向する位置に設けられていることが好ましい。
【００１５】
タイヤ幅方向の外側から前記サイドウォール部を見たとき、前記情報表示部Ａ及び前記情報表示部Ｂを結ぶ直線と、前記情報表示部Ｃ及び前記情報表示部Ｄを結ぶ直線とのなす角は７０〜９０°であることが好ましい。
【００１６】
前記情報表示部は、さらに、前記情報表示部Ａと同じタイヤ周方向の位置に設けられた情報表示部Ｃを有していることが好ましい。
【００１７】
前記情報表示部Ａ及び前記情報表示部Ｂは、タイヤ周方向の同じ位置に設けられていることが好ましい。
【００１８】
前記二次元コード及び前記情報表示部が、タイヤ幅方向の両側のサイドウォール部のそれぞれに設けられていることが好ましい。
【発明の効果】
【００１９】
上記態様の空気入りタイヤによれば、サイドウォール部に刻印した二次元コードの視認性に優れる。
【図面の簡単な説明】
【００２０】
【図１】本実施形態の空気入りタイヤの構成の一例を示す図である。
【図２】（ａ），（ｂ）は、二次元コードの例を説明する平面図と断面図である。
【図３】は、一実施形態によるサイドウォール部の例を説明する側面図である。
【図４】（ａ），（ｂ），（ｃ）は、一実施形態による情報表示部の例を示す図である。
【図５】（ａ），（ｂ），（ｃ）は、一実施形態による情報表示部の例を示す図である。
【図６】（ａ），（ｂ），（ｃ）は、一実施形態によるサイドウォール部の例を示す側面図である。
【図７】（ａ），（ｂ）は、一実施形態によるサイドウォール部の例を示す側面図と空気入りタイヤの斜視図である。
【図８】は、一実施形態によるサイドウォール部の例を示す側面図である。
【図９】（ａ），（ｂ）は、一実施形態によるサイドウォール部の例を示す側面図と空気入りタイヤの斜視図である。
【図１０】（ａ），（ｂ），（ｃ）は、一実施形態による情報表示部の例を示す図である。
【図１１】は、一実施形態による情報表示部が指し示す方向を説明する図である。
【図１２】（ａ），（ｂ）は、一実施形態によるサイドウォール部の例を示す側面図と空気入りタイヤの斜視図である。
【図１３】は、一実施形態によるサイドウォール部の例を示す側面図である。
【発明を実施するための形態】
【００２１】
以下、本実施形態の空気入りタイヤについて詳細に説明する。本実施形態には、後述する種々の実施形態が含まれる。
本明細書において、タイヤ幅方向は、空気入りタイヤの回転軸と平行な方向である。タイヤ幅方向外側は、タイヤ幅方向において、タイヤ赤道面を表すタイヤ赤道線ＣＬ（図１参照）から離れる側である。また、タイヤ幅方向内側は、タイヤ幅方向において、タイヤ赤道線ＣＬに近づく側である。タイヤ周方向は、空気入りタイヤの回転軸を回転の中心として回転する方向である。タイヤ径方向は、空気入りタイヤの回転軸に直交する方向である。タイヤ径方向外側は、前記回転軸から離れる側をいう。また、タイヤ径方向内側は、前記回転軸に近づく側をいう。
【００２２】
本明細書で後述する断面高さＨは、タイヤを規定リムに組んで、規定内圧を加えた無負荷状態において測定される寸法をいう。ここで、規定リムとは、ＪＡＴＭＡに規定される「適用リム」、ＴＲＡに規定される「Design  Rim」、又はＥＴＲＴＯに規定される「Measuring Rim」をいう。また、規定内圧とは、ＪＡＴＭＡに規定される「最高空気圧」、ＴＲＡに規定される「TIRE LOAD LIMITS AT VARIOUS COLD INFLATION PRESSURES」の最大値、又はＥＴＲＴＯに規定される「INFLATION PRESSURES」をいう。
【００２３】
以下に説明する実施形態では、サイドウォール部に二次元コードが刻印されている。本実施形態で言う刻印とは、レーザ光をサイドウォール部の表面で集束させてエネルギを集中しサイドゴム部材を局所的に加熱焼却して表面に微小なドット孔を複数形成する態様の他、サイドゴム部材に別の手段で凹凸を刻印して二次元コードを形成することも含む。
【００２４】
本実施形態で言う二次元コードは、横方向にしか情報を持たない一次元コード（バーコードに対し、二方向に情報を持つマトリックス表示方式のコードである。二次元コードとして、例えば、ＱＲコード（登録商標）、データマトリクス（登録商標）、Ｍａｘｉｃｏｄｅ、ＰＤＦ−４１７（登録商標）、１６Ｋコード（登録商標）、４９コード（登録商標）、Ａｚｔｅｃコード（登録商標）、ＳＰコード（登録商標）、ベリコード（登録商標）、及び、ＣＰコード（登録商標）を含む。
【００２５】
（空気入りタイヤ）
図１は、本実施形態の空気入りタイヤ１０（以降、単にタイヤ１０という）の構成の一例を示す図である。図１は、タイヤ赤道線ＣＬに対してタイヤ幅方向の一方の側のプロファイル断面を示す。
【００２６】
タイヤ１０は、トレッドパターンを有するトレッド部１０Ｔと、タイヤ幅方向両側の一対のビード部１０Ｂと、トレッド部１０Ｔの両側に設けられ、一対のビード部１０Ｂとトレッド部１０Ｔに接続される一対のサイドウォール部１０Ｓと、を備える。トレッド部１０Ｔは路面と接触する部分である。サイドウォール部１０Ｓは、トレッド部１０Ｔをタイヤ幅方向の両側から挟むように設けられた部分である。ビード部１０Ｂは、サイドウォール部１０Ｓに接続され、サイドウォール部１０Ｓに対してタイヤ径方向内側に位置する部分である。
【００２７】
タイヤ１０は、骨格材として、カーカスプライ１２と、ベルト１４と、ビードコア１６と、を有する。これらの骨格材の周りに、トレッドゴム部材１８と、サイドゴム部材２０と、リムクッションゴム部材２４と、インナーライナゴム部材２６と、を主に有する。タイヤ１０は、さらに、ビードフィラーゴム部材２２を有する。
【００２８】
カーカスプライ１２は、一対の円環状のビードコア１６に巻きまわして、一対のビードコア１６間に設けられトロイダル状を成し、有機繊維をゴムで被覆したカーカスプライ材で構成されている。カーカスプライ１２は、ビードコア１６の周りに巻きまわされてタイヤ径方向外側に延びている。カーカスプライ１２のタイヤ径方向外側のタイヤ赤道線ＣＬ上には２枚のベルト材１４ａ，１４ｂで構成される積層ベルト１４が設けられている。ベルト１４は、タイヤ周方向に対して、所定の角度、例えば２０〜３０度傾斜して配されたスチールコードにゴムを被覆した部材で構成され、下層のベルト材１４ａが上層のベルト材１４ｂに比べてタイヤ幅方向の幅が長い。２層のベルト材１４ａ，１４ｂのスチールコードの傾斜方向は互いに逆方向である。このため、ベルト材１４ａ，１４ｂは、交錯層となっており、充填された空気圧によるカーカスプライ１２の膨張を抑制する。
【００２９】
ベルト１４のタイヤ径方向外側には、トレッドゴム部材１８が設けられ、トレッドゴム部材１８の両端部には、サイドゴム部材２０が接続されてサイドウォール部１０Ｓを形成している。サイドゴム部材２０のタイヤ径方向内側の端には、リムクッションゴム部材２４が設けられ、タイヤ１０を装着するリムと接触する。ビードコア１６のタイヤ径方向外側には、ビードコア１６の周りに巻きまわす前のカーカスプライ１２の部分と、ビードコア１６の周りに巻きまわした後のカーカスプライ１２の部分との間に挟まれるようにビードフィラーゴム部材２２が設けられている。タイヤ１０とリムとで囲まれる空気を充填するタイヤ空洞領域に面するタイヤ１０の内表面には、インナーライナゴム部材２６が設けられている。
この他に、ベルト材１４ｂとトレッドゴム部材１８との間には、ベルト１４のタイヤ径方向外側からベルト１４を覆う、有機繊維をゴムで被覆した２層のベルトカバー３０を備える。ベルトカバー３０は、必要に応じて設ければよく、必須ではない。ベルトカバー３０の層数も１枚に限定されず、２枚あるいは３枚であってもよい。
このようなタイヤ１０のサイドウォール部１０Ｓの表面に、二次元コード４０（図１では太線で表示される）、及び、後述する情報表示部５０（図３参照）が設けられている。
【００３０】
（二次元コード）
図２（ａ），（ｂ）は、一実施形態の二次元コード４０の例を説明する図である。
二次元コード４０は、図１に示すように、サイドウォール部１０Ｓのサイドゴム部材２０の表面に刻印されている。一実施形態によれば、二次元コード４０は、タイヤ幅方向の両側にあるサイドウォール部１０Ｓの双方の、サイドゴム部材２０の表面に形成される。別の一実施形態によれば、いずれか一方のサイドウォール部１０Ｓのサイドゴム部材２０の表面に形成される。
二次元コード４０は、表面の凹凸によって互いに識別可能に形成された２種類の濃淡要素でドットパターンを形成したものである。本実施形態の二次元コード４０は、レーザ光
をサイドウォール部１０Ｓの表面で集束させてエネルギを集中しサイドゴム部材２０を局所的に加熱焼却して表面に微小なドット孔４０ａ（図２（ｂ）参照）を複数刻印することにより形成されたパターンである。ドット孔４０ａは、例えば円錐形状の孔であり、トレッド表面における直径は、例えば０．１〜１．０ｍｍであり、深さは、例えば０．３〜１．０ｍｍ、さらには０．５〜０．８ｍｍである。
二次元コード４０は、図２（ａ）に示すように、二次元コード４０の濃淡要素を区分けする単位セルのうち濃領域の単位セル領域に１つのドット孔４０ａ（凹部）が設けられて構成されている。すなわち、二次元コード４０は、格子状に分割した同一サイズの矩形形状の複数の単位セル領域に対応して、１つのドット孔４０ａが濃淡要素の濃い１つの単位セル領域を形成するように、ドット孔４０ａが配置された構成を有する。図２（ａ）中、単位セル領域の濃領域は、黒く塗りつぶされた領域で示されている。
【００３１】
図２（ａ）に示す二次元コード４０は、ＱＲコード（登録商標）であり、２種類の濃淡要素でドットパターンが形成されたドットパターン領域４２を含む。ドットパターン領域４２の周りには、濃淡要素のうち淡い要素と同じ淡い要素が取り囲む空白領域４４が設けられている。空白領域４４は、ＱＲコード（登録商標）においてクワイエットゾーンとされる領域であり、ＱＲコード（登録商標）を読み取る際に必要な領域である。空白領域４４がドットパターン領域４２の周りを取り囲む厚さは、例えば、ドットパターン領域４２内の単位セル領域の寸法サイズの４〜５倍であることが好ましい。例えば、空白領域４４の厚さｗは、ドットパターン領域４２の矩形形状における２方向の寸法のうち最大寸法の４％〜２５％であることが好ましい。
図２（ａ）に示す二次元コード４０はＱＲコード（登録商標）であるので、ドットパターン領域４２は、ＱＲコード（登録商標）のデータセルを表示したデータセル領域４２ａと、切り出しシンボルを表示した切り出しシンボル領域４２ｂとを含む。
【００３２】
（情報表示部）
図３は、一実施形態によるサイドウォール部１０Ｓの例を説明する側面図である。以降の図面では、二次元コード４０を四角形で示す。
本実施形態のサイドウォール部１０Ｓの表面には、図３に示すように、１又は複数の情報表示部５０と、が設けられている。情報表示部５０は、二次元コード４０が設けられた位置を示す情報（以下、二次元コード４０の位置を示す情報という）を、表面の凹凸又は色彩によって表示したサイドウォール部１０Ｓの部分である。
【００３３】
一実施形態によれば、二次元コード４０の位置を示す情報は、文字、記号、及び、文字と記号の組み合わせのいずれか１つにより構成されていることが好ましい。
【００３４】
文字から構成された情報も、サイドウォール部１０Ｓのいずれかの位置（例えば情報表示部５０の近く）に二次元コード４０があると感じさせることができる点で、二次元コード４０の位置を示すことができる情報である。このため、情報表示部５０は、文字から構成された情報を表示する場合は、二次元コード４０に接近した位置（例えば、二次元コード４０から、当該二次元コード４０のサイズより短い間隔をあけた位置）に配置されていることが好ましい。文字から構成された情報の例として、「Ｃｏｄｅ」、「Ｔｉｒｅ  ＩＤ」等が挙げられる。文字から構成された情報は、「ここを参照して下さい」、「ここに二次元コードがあります」といった内容を表す文又は文の一部であってもよい。
【００３５】
記号から構成された情報として、例えば、図４（ａ），（ｂ），（ｃ）に示したものが挙げられる。図４（ａ）〜（ｃ）は、それぞれ、一実施形態による情報表示部５０の例を示す図である。図４（ａ）〜（ｃ）では、記号として、二次元コード４０の位置を指し示す矢印が用いられている。このうち、図４（ｂ）に示す例では、二次元コード４０の両側に情報表示部５０Ａ，５０Ｂが設けられている。以降の説明では、複数の情報表示部５０の配置例を説明する際に、情報表示部同士を区別するために、複数の情報表示部５０のそれぞれに、適宜、「５０Ａ」、「５０Ｂ」、「５０Ｃ」、「５０Ｄ」の符号を付して説明する場合がある。記号は、矢印に制限されず、例えば、二次元コード４０の位置を指し示す形状の多角形等の図形であってもよい。そのような多角形として、二等辺三角形、直角三角形等の三角形、凹多角形（例えば、１つの頂角が１８０度より大きい凹四角形、凹六角形）が挙げられる。図形の数は、１であってもよく、複数であってもよい。図形の数が複数の場合、情報表示部５０を目立たせるよう、二次元コード４０を指し示す方向に並べて図形は配置されることが好ましい。
【００３６】
文字及び記号の組み合わせから構成された情報として、例えば、図３に示したもの、あるいは、図５（ａ），（ｂ），（ｃ）に示したものが挙げられる。図５（ａ）〜（ｃ）は、それぞれ、一実施形態による情報表示部５０の例を示す図である。図５（ｃ）に示す例において、情報は、二次元コード４０を挟むように配置された矢印と文字「ＸＸ」とで構成されている。なお、図３以降の図面では、二次元コード４０の位置を示す情報を構成する文字を「ＸＸ」で表す。文字と記号の間隔は、大きすぎないことが好ましい。この点で、文字及び記号の配置位置の中心の方位角は、図５（ａ），（ｂ）に示す例においては、互いに１〜５°だけ離れていることが好ましい。
【００３７】
別の一実施形態によれば、二次元コード４０の位置を示す情報は、文字、記号、及び、文字と記号の組み合わせ以外のものを含んでいてもよく、例えば、図柄を含んでいることも好ましい。図柄として、例えば、二次元コード４０の位置を指し示した指又は手を図案化したものが挙げられる。
【００３８】
このような二次元コード４０の位置を示す情報を、情報表示部５０は、サイドウォール部１０Ｓの表面の凹凸又は色彩によって表示する。
表面の凹凸は、例えば、タイヤ金型の内壁面に設けた凹凸に未加硫ゴムを接触させ加硫することで作ることができる。また、例えば、レーザ光等を用いてサイドウォール部１０Ｓの表面を加工することで作ることができる。
表面の色彩は、周りの表面に対して識別可能な色（例えば白）を、サイドウォール部１０Ｓの表面に付与することにより作られる。そのような色は、具体的に、ＪＩＳ  Ｚ８７２１に規定した表示方法で特定される色相、明度、彩度のうちの少なくとも１つが、周りの表面の色と異なっている。周りの表面に対して識別可能な色は、例えば、サイドウォール部１０Ｓの表面に、塗料を塗布し、あるいは、樹脂あるいはゴムからなるフィルム状の部材を貼り付けることによって付与することができる。また、例えば、サイドウォール部１０Ｓの表面に、周りの表面と異なる色のゴム層が表れるように、当該ゴム層を配置した生タイヤを成型し、成型後、バフ研磨等によって、その表面のゴムを除去することで付与することができる。
【００３９】
図６（ａ），（ｂ），（ｃ）は、それぞれ、一実施形態によるサイドウォール部１０Ｓの例を示す側面図である。
本実施形態において、二次元コード４０の位置を示す情報は、情報表示部５０が設けられた位置に応じて定められている。
図６（ａ），（ｂ）に示す例では、情報表示部５０を構成する矢印は、情報表示部５０と二次元コード４０を結んだ直線の方向に沿って、二次元コード４０の位置を指し示している。
図６（ｃ）に示す例では、情報表示部５０を構成する矢印は、タイヤ周方向に沿った方向を指し示している。情報表示部５０が、サイドウォール部１０Ｓの領域のうちタイヤ径方向の外側の領域に設けられている場合、そのタイヤ径方向の内側の領域には、タイヤ１０のブランド名、ロゴ、タイヤサイズ等の他の情報が表示される場合があるため、図６（ａ），（ｂ）に示す例のように、情報表示部５０と二次元コード４０とを結ぶ直線の方向に沿って二次元コード４０を指し示すと、当該他の情報を指しているかのように感じさせるおそれがある。このため、情報表示部５０が、サイドウォール部１０Ｓの領域のうちタイヤ径方向の外側の領域に設けられている場合、情報表示部５０を構成する矢印は、図６（ｃ）に示すように、二次元コード４０の位置を、情報表示部５０と二次元コード４０とを結ぶ直線の方向以外の方向（例えばタイヤ周方向）に指し示すことが好ましい。
一方で、情報表示部５０が二次元コード４０に接近した位置に配置されている場合は、情報表示部５０と二次元コード４０との間に、他の情報が配置されることがないため、情報表示部５０と二次元コード４０とを結ぶ直線の方向に指し示していてもよく、図３に示す例のように、タイヤ周方向に沿って指し示していてもよい。
このように、二次元コード４０の位置を示す情報は、情報表示部５０が設けられた位置に応じて定められている。これにより、情報表示部５０が、二次元コード４０から離れた位置に設けられた場合であっても、情報表示部５０が表示する情報を手がかりに、二次元コード４０を速やかに見つけることができる。
二次元コードは、読み取りを行う際に、サイドウォール部１０Ｓの表面において見つけやすいことが好ましい。しかし、二次元コードは、タイヤ周上の所定の位置に設けられるため、車両を停止させるたびに、タイヤ周上の異なる位置に配置されうる。このため、サイドウォール部を見たときに、二次元コードをすぐに見つけられない場合がある。特に、タイヤを見る視点は、通常、タイヤよりも上方にあるため、二次元コードのタイヤ周上の位置によっては死角に入り、二次元コードが見えない、あるいは、二次元コードであることがわかり難い場合がある。このような場合、体を屈め、タイヤ１０を見る視点を低くしてサイドウォール部１０Ｓを見る、あるいは、視線の先をサイドウォール部１０Ｓの表面においてタイヤ周方向に移動させるなどして、二次元コードを探す必要があり、二次元コードの読み取りを行うまでに時間を要する。
タイヤ側面部における死角の大きさは、タイヤを見る視線のサイドウォール部の表面に対する角度や、タイヤを見る者の視点の高さによって変化する。また、曇天時や日陰のような環境では、晴天時の日向のような環境と比べ、二次元コードを視認し難くなる。
【００４０】
以上の情報表示部５０がサイドウォール部１０Ｓの表面に設けられていることで、本実施形態によれば、情報表示部５０が設けられていない場合と比べ、二次元コード４０を見つけやすい。すなわち、二次元コード４０の視認性に優れる。
【００４１】
図７（ａ），（ｂ）は、一実施形態によるサイドウォール部１０Ｓの例を示す側面図とタイヤ１０の斜視図である。
一実施形態によれば、複数の情報表示部５０が、図７（ａ）に示す例のように、互いに異なるタイヤ周方向位置、あるいは、互いに異なるタイヤ径方向位置に設けられた情報表示部５０Ａ及び情報表示部５０Ｂを有していることが好ましい。
複数の情報表示部に関して、タイヤ周方向の位置が異なるとは、比較の対象となる複数の情報表示部の配置位置（タイヤ周方向に沿った配置範囲）同士がタイヤ周方向に互いに重なっていないことをいう。タイヤ周方向の位置が異なる場合の例として、タイヤ１０の回転中心から見た情報表示部５０の配置位置の中心同士が互いに３〜１０°を超えて離れている場合が挙げられる。
また、複数の情報表示部に関して、タイヤ径方向の位置が異なるとは、比較の対象となる複数の情報表示部５０の配置位置（タイヤ径方向に沿った配置範囲）同士がタイヤ径方向に互いに重なっていないことをいう。タイヤ径方向の位置が異なる場合の例として、情報表示部５０の配置位置（タイヤ径方向に沿った配置範囲）の中心同士が、情報表示部のタイヤ径方向の長さ（例えば６〜４０ｍｍ）よりも離れている場合が挙げられる。
図７（ａ）に示す例において、情報表示部５０Ａは、二次元コード４０に接近した位置に配置されるとともに、情報表示部５０Ｂは、二次元コード４０から離れた位置に配置されている。
後で参照する図９（ｂ）、図１２（ｂ）において斜線で示したサイドウォール部１０Ｓの領域内の領域Ｓ，Ｔは、タイヤ１０を斜め上方から見た場合に視認される領域を表す。図７（ｂ）に示す例において、領域Ｓ，Ｔに該当する領域以外のサイドウォール部１０Ｓの領域は、タイヤ１０を斜め上方から見た場合の死角に位置するため、これらの領域に位置する情報表示部５０は見つけ難い。ここで、図７に示す例のように、情報表示部５０Ａ，５０Ｂが配置されていると、図７（ａ）に示すようにタイヤ１０が静止した状態で、タイヤ１０を斜め上方から見た場合に、図７（ｂ）に示すように、一方の情報表示部５０Ａが死角に位置しても、他方の情報表示部５０が領域Ｔ内に位置しているため、二次元コード４０を見つけやすい。このため、二次元コード４０を容易に見つけることができ、二次元コード４０の視認性に優れる。斜め上方から見る態様として、タイヤ１０の側面と向き合うように立ち、タイヤ１０の赤道面に対して１５〜４０度傾斜した方向にタイヤ１０を見下ろすことが挙げられる。
【００４２】
なお、領域Ｓは、タイヤ最大幅が位置するタイヤ径方向の領域（以下、タイヤ最大幅領域という）、及び、タイヤ最大幅領域のトレッド部１０Ｔ側のタイヤ径方向の領域、からなるサイドウォール部１０Ｓの領域（以下、外側領域という）のうち、タイヤ１０の回転中心から見た方位角が、例えば１８０〜２００°の範囲にある領域である。タイヤ最大幅領域は、例えば、タイヤ１０のタイヤ径方向の内側の端部からのタイヤ１０の断面高さＨ（図１参照）の５０％の位置に対して±５％以内の高さ範囲にある。なお、図９（ａ）のサイドウォール部１０Ｓの側面図に示される破線の円は、タイヤ最大幅領域内に位置する。
領域Ｔは、タイヤ最大幅領域、及び、タイヤ最大幅領域のビード部１０Ｂ側のタイヤ径方向の領域、からなるサイドウォール部１０Ｓの領域（以下、内側領域という）のうち、タイヤ１０の回転中心から見た方位角が、例えば１４０〜１６０°の範囲にある領域である。
【００４３】
この実施形態では、さらに、情報表示部５０Ａ，５０Ｂは、図７（ａ）に示されるように、タイヤ周方向に互いに９０°以上離れていることが好ましく、１２０°以上離れていることがより好ましい。これにより、静止した状態のタイヤ１０を斜め上方から見た場合に、情報表示部５０Ａ，５０Ｂのいずれか一方が、視認可能な領域Ｓ又は領域Ｔに位置する可能性が高くなり、二次元コード４０を見つけやすくなる。
【００４４】
なお、情報表示部５０のそれぞれが表示する情報に文字が含まれている場合、これらの文字は同じ情報を表示するものであることが好ましい。複数の情報表示部５０の文字が共通の情報を表示することで、二次元コード４０の位置がわかりやすく、二次元コード４０をさらに見つけやすくなる。なお、複数の情報表示部５０は、互いに異なる情報を表示するものであってもよく、同じ情報を表示するものであってもよい。
【００４５】
図８は、一実施形態によるサイドウォール部１０Ｓの例を示す側面図である。以降の図面では、情報表示部５０を、円又は楕円で表す。なお、図７（ｂ）等の、タイヤ１０の斜視図において領域Ｓ内に楕円の一部で表す曲線は、トレッド部１０Ｔとサイドウォール部１０Ｓとの接続部分に位置する仮想線を表す。
一実施形態によれば、情報表示部５０Ａ，５０Ｂは、図８に示す例のように、タイヤ周上の対向する位置に設けられていることが好ましい。タイヤ周上の対向する位置とは、複数の情報表示部５０のタイヤ周方向の中心位置の方位角が、互いに１７０〜１９０°離れた位置にあることを意味する。図８に示す例では、情報表示部５０Ａ，５０Ｂは、互いに１８０°離れて位置している。図８に示す例のように、情報表示部５０Ａ，５０Ｂが配置されていると、図８に示すようにタイヤ１が静止した状態で、タイヤ１０を斜め上方から見た場合に、情報表示部５０Ａ，５０Ｂの一方が視認可能な領域Ｓ又は領域Ｔに位置する可能性が高くなる。このため、二次元コード４０の視認性が高くなる。
この実施形態において、情報表示部５０Ａ，５０Ｂは、さらに、タイヤ径方向の同じ位置に配置されていることが好ましい。これにより、情報表示部５０Ａ，５０Ｂの少なくとも一方が視認可能な領域に位置する可能性が高くなる。なお、複数の情報表示部５０は、３つ、４つ、５つ、６つ等の情報表示部を含んでいてもよい。図８に示す例では、サイドウォール部１０Ｓには、情報表示部５０Ａ，５０Ｂのほか、情報表示部５０Ｃが設けられている。
【００４６】
図９（ａ），（ｂ）は、一実施形態によるサイドウォール部の例を示す側面図及びタイヤ１０の斜視図である。
一実施形態によれば、情報表示部５０Ａ，５０Ｂは、図９（ａ）に示すように、タイヤ径方向の同じ位置に設けられていることが好ましい。図９に示す例では、さらに、タイヤ径方向の同じ位置に設けられた情報表示部５０Ｃ，５０Ｄが設けられている。タイヤ径方向の同じ位置に設けられているとは、比較の対象となる複数の情報表示部５０の配置位置がタイヤ径方向に重なっていることをいう。例えば、情報表示部５０Ａ，５０Ｂの配置位置の中心同士のタイヤ径方向に沿ったずれ量が、情報表示部５０のタイヤ径方向の長さ（例えば６〜４０ｍｍ）以内であることをいう。
図９（ａ）に示す例のように、情報表示部５０Ａ，５０Ｂがタイヤ径方向の同じ位置に設けられている場合、図９（ｂ）に示すようにタイヤ１０が静止した状態で、タイヤ１０を斜め上方から見た場合に、図９（ａ）に示すように、情報表示部５０Ｂ，５０Ｃが死角に入っても、情報表示部５０Ａ，５０Ｄは領域Ｓ内に位置しているため、二次元コード４０を見つけやすい。
【００４７】
図１０（ａ），（ｂ），（ｃ）は、それぞれ、一実施形態による情報表示部５０の例を示す図である。図１１は、一実施形態による情報表示部５０が指し示す方向を説明する図である。図１０及び図１１において、円弧状の破線は、タイヤ周方向を示している。
一実施形態によれば、情報表示部５０は、二次元コード４０が設けられた位置を、タイヤ周方向と異なる方向に指し示す記号を含むことが好ましい。情報表示部５０が表示する情報が、例えば、タイヤ周方向に指し示す矢印で構成されている場合、タイヤ１０の回転方向を表す表示（ローテーションマーク）であると誤認させるおそれがある。しかし、情報表示部５０が、二次元コード４０が設けられた位置を、タイヤ周方向と異なる方向に指し示す記号を含んでいることで、そのような誤認を防ぐことができる。ここでいう、タイヤ周方向と異なる方向とは、記号が指し示す方向の両端を結ぶ直線が、タイヤ周方向と異なることを意味する。図１０（ａ）に示す例において、情報表示部５０Ａを構成する矢印は、タイヤ周方向に対して傾斜した方向を指し示している。また、情報表示部５０Ｂを構成する矢印は、タイヤ径方向内側を指し示している。図１０（ｂ）に示す例において、情報表示部５０Ａを構成する矢印は、タイヤ周方向に対して傾斜した方向を指し示している。図１０（ｃ）に示す例において、情報表示部５０Ａを構成する矢印は、その指し示す方向の両端を結ぶ直線は、タイヤ周方向に対して傾斜している。また、情報表示部５０Ｂを構成する矢印はタイヤ径方向外側を指し示している。
ここで、タイヤ周方向に傾斜するとは、図１１に示すように、情報表示部（図１１において図示を省略）が指し示す方向の両端Ｐ５０ａ，Ｐ５０ｂを結ぶ直線Ｌｉｎｄと、情報表示部によって指し示される二次元コード４０を通る円弧との交点Ｐ１における当該円弧の接線Ｌｔａｎに対する直線Ｌｉｎｄの傾斜角θが５度以上であることを意味する。
【００４８】
図１２（ａ），（ｂ）は、一実施形態によるサイドウォール部１０Ｓの例を示す側面図とタイヤ１０の斜視図である。
一実施形態によれば、複数の情報表示部５０は、さらに、情報表示部５０Ｃを有し、情報表示部５０Ａ、情報表示部５０Ｂ、及び情報表示部５０Ｃのそれぞれを、空気入りタイヤの回転中心からタイヤ径方向に見たときの方位角は、互いに１１０〜１３０°離れていることが好ましい。この実施形態において、情報表示部５０Ａ〜５０Ｃは、タイヤ径方向の同じ位置に設けられる。この方位角の間隔は、情報表示部５０Ａ〜５０Ｃの配置位置の中心位置同士の間隔を意味する。タイヤ１０のタイヤ径方向の内側の端部から断面高さＨの５５％の高さの範囲のサイドウォール部１０Ｓの領域（内側領域）は、タイヤ１０を斜め上方から見た場合に、領域Ｔが視認可能であるが、タイヤ１０の回転中心から見た領域Ｔの方位角の範囲は１８０°より小さいため、上記高さ範囲に２つの情報表示部５０Ａ，５０Ｂだけが設けられていると、タイヤ１０を斜め上方から見た場合に、いずれも死角に入る可能性がある。タイヤ１０のタイヤ径方向の内側の端部とは、ビードコア１６のタイヤ径方向の最も内側の端を意味する。この実施形態では、３個の情報表示部５０Ａ〜５０Ｃが、内側領域においてタイヤ周方向に略等間隔で配置されていることで、図１２（ｂ）に示すようにタイヤ１０が静止した状態で、タイヤ１０を斜め上方から見た場合に、図１２（ｂ）に示すように、情報表示部５０Ａ，５０Ｂが死角に入っても、情報表示部５０Ｃが領域Ｔ内に位置しているため、二次元コード４０を見つけやすい。タイヤ１０のサイズならびにプロファイル（リムプロテクトバーの有無や形状）によっては、領域Ｔの方位角の範囲は１２０°程度になる場合があるため、このような情報表示部５０の配置態様が有効である。図１２（ｂ）に示す例において、情報表示部５０Ａ〜５０Ｃの方位角は、互いに１２０°離れている。
【００４９】
図１３は、一実施形態によるサイドウォール部の例を示す側面図及び斜視図である。
一実施形態によれば、複数の情報表示部は、さらに、情報表示部Ｃ及び情報表示部Ｄを有し、情報表示部Ａ及び情報表示部Ｂは、空気入りタイヤのタイヤ径方向の内側の端部から断面高さＨの５５％の高さの範囲（内側領域の範囲）内であって、タイヤ周上の対向する位置に設けられ、
情報表示部Ｃ及び情報表示部Ｄは、断面高さＨの範囲のうち上記端部から断面高さＨの４５％の範囲を除いた高さ範囲（外側領域の範囲）内であって、タイヤ周上の対向する位置に設けられていることが好ましい。すなわち、２つの情報表示部からなる組が、上記２つの高さ範囲のそれぞれに設けられ、各組をなす情報表示部が、タイヤ周上の対向する位置に設けられていることが好ましい。このような配置態様によっても、タイヤ１０が静止した状態で、タイヤ１０を斜め上方から見た場合に、一部の情報表示部５０が死角に入っても、他の情報表示部が領域Ｓ又は領域Ｔに位置する可能性が高いため、二次元コード４０を見つけやすい。なお、内側領域及び外側領域は、タイヤ最大幅領域においてタイヤ径方向に重なっている。
【００５０】
この実施形態において、さらに、タイヤ幅方向の外側から（図１３の紙面奥行方向に）見たとき、情報表示部５０Ａ及び情報表示部５０Ｂを結ぶ直線Ｐと、情報表示部５０Ｃ及び情報表示部５０Ｄを結ぶ直線Ｑとのなす角αは７０〜９０°であることが好ましい。この実施形態において、直線Ｐ、Ｑは、タイヤ１０の回転中心において交差していることが好ましい。この配置態様によれば、タイヤ１０が静止した状態で、タイヤ１０を斜め上方から見た場合に、一部の情報表示部５０が死角に入っても、他の情報表示部が領域Ｓ又は領域Ｔに位置する可能性を高めることができる。この配置態様は、上述した実施形態のように、３つの情報表示部５０Ａ〜５０Ｃをタイヤ周方向に略等間隔で配置する場合と異なって、上記端部からの断面高さＨの５５％以下の高さ範囲に情報表示部５０を２つだけ配置する場合に有効である。
【００５１】
上述した実施形態のように、情報表示部５０Ａ，５０Ｂがタイヤ径方向の同じ位置に設けられている場合に、図９（ａ）に示すように、複数の情報表示部は、さらに、情報表示部５０Ａと同じタイヤ周方向の位置に設けられた情報表示部５０Ｃを有していることが好ましい。この場合、複数の情報表示部は、さらに、情報表示部５０Ｂと同じタイヤ周方向の位置に設けられた情報表示部５０Ｄを有していることが好ましい。図９（ａ）に示す例のように、複数の二次元コードが配置されている場合、図９（ａ）に示すようにタイヤ１０が静止した状態で、タイヤ１０を斜め上方から見ると、図９（ｂ）に示すように、情報表示部５０Ｃ，５０Ｂが死角に入っても、情報表示部５０Ａ，５０Ｄは領域Ｓ，Ｔ内に位置しているため、二次元コード４０を見つけやすい。
【００５２】
一実施形態によれば、情報表示部５０Ａ及び情報表示部５０Ｂは、タイヤ周方向の同じ位置に設けられていることが好ましい。複数の情報表示部が配置されている場合、タイヤ１０が静止した状態で、タイヤ１０を斜め上方から見ると、一方の情報表示部が死角に入っても、他方の情報表示部が領域Ｓ又は領域Ｔ内に位置する可能性が高くなるため、二次元コード４０を見つけやすい。
【００５３】
一実施形態によれば、二次元コード４０、及び、情報表示部５０は、タイヤ１のタイヤ幅方向の両側のサイドウォール部１０Ｓのそれぞれに設けられていることが好ましい。タイヤ１０が車両に装着されても、一方の側のサイドウォール部１０Ｓに刻印された二次元コード４０を確実に読み取ることができる。その際、二次元コード４０を速やかに見つけることができる。
【００５４】
（従来例、実施例）
タイヤ１０の効果を確認するために、二次元コード４０、具体的にはＱＲコード（登録商標）をタイヤ幅方向の一方のサイドウォール部１０Ｓに刻印したタイヤを作製した。また、サイドウォール部１０Ｓには、二次元コード４０を指し示す情報表示部５０を合わせて設けた。作製したタイヤを、二次元コード４０及び情報表示部５０を設けたサイドウォール部が車両外側を向くよう、試験車である乗用車に装着して、二次元コード４０の視認性の評価を行った。作製したタイヤのタイヤサイズは、２２５／６５Ｒ１７とした。タイヤの内圧条件は、前輪、後輪ともに２３０（ｋＰａ）とした。各タイヤの荷重条件は、前輪荷重を４５０ｋｇ重、後輪荷重を３００ｋｇ重とした。
【００５５】
二次元コード４０は、ドット孔の深さが０．８ｍｍで、濃淡要素を区分けする単位セルの長さが０．６ｍｍであるＱＲコード（登録商標）をサイドウォール部１０Ｓの平滑面に刻印した。
情報表示部５０は、表１に示した仕様を除いて、図３に示す態様を基調とした。情報表示部５０は、サイドウォール部１０Ｓの表面のうち内側領域に、レーザ光を用いて文字及び矢印の形状に沿って凹みを設けることで作製した。文字から構成された情報は「Ｔｉｒｅ  ＩＤ」とした。矢印は、情報表示部５０の配置位置と二次元コード４０の配置位置とを結ぶ直線に沿った方向を指すよう設けた。
【００５６】
表１に、作製した各タイヤの情報表示部の配置態様を示す。
表中の“配置数”は、上記一方のサイドウォール部に設けた情報表示部の数を意味する。
表中の“配置態様”は、各実施例が基調とした情報表示部の配置態様を、図面の番号で示す。実施例はいずれも、“配置態様”に示した図面の配置態様を基調としつつ、“配置位置”及び“配置領域”を調整したものである。
表中の“配置位置”は、タイヤの回転中心から見た、二次元コード４０の配置位置の方位角を０度としたときの、情報表示部の配置位置の方位角を意味する。情報表示部が複数ある場合は、それぞれの方位角をタイヤ周方向に順に、「／」で挟んで示す。
表中の“配置領域”は、二次元コードを設けたタイヤ径方向領域を意味し、“内側”は、上述した内側領域を意味し、“外側”は、上述した外側領域を意味する。
【００５７】
視認性の評価は、屋外の所定の停車位置に試験車を停止させ、ドライバーが試験車から降りてから、運転席側の前輪に装着したタイヤの二次元コードを見つけるまでの時間を、各例につき１０回計測し、その平均時間が、２．０秒以内だった場合をＡと評価し、２．０秒超、３．０秒以内だった場合をＢと評価し、３．０秒超、４．５秒以内だった場合をＣ評価し、４．５秒超だった場合をＤと評価し、Ａ〜Ｃを、二次元コードの視認性に優れると評価とした。表１に評価結果を示す。
【００５８】
【表１】
2020006706.tif 000003
【００５９】
従来例と実施例１〜７との比較からわかるように、サイドウォール部に情報表示部を設けることで、二次元コードの視認性が優れることがわかる。
実施例２と実施例３との比較から、複数の情報表示部を有し、これらがタイヤ周上の対向する位置に設けられていることで、二次元コードの視認性がさらに優れることがわかる。
実施例６と実施例７の比較から、３つの情報表示部を有し、これらが互いに１１０〜１３０°離れていることで、二次元コードの視認性がより一層優れることがわかる。
【００６０】
以上、本発明の空気入りタイヤについて詳細に説明したが、本発明の空気入りタイヤは上記実施形態あるいは実施例に限定されず、本発明の主旨を逸脱しない範囲において、種々の改良や変更をしてもよいのはもちろんである。
【符号の説明】
【００６１】
１０  空気入りタイヤ
１０Ｔ  トレッド部
１０Ｓ  サイドウォール部
１０Ｂ  ビード部
１２  カーカスプライ
１４  ベルト
１４ａ，１４ｂ  ベルト材
１６  ビードコア
１８  トレッドゴム部材
２０  サイドゴム部材
２２  ビードフィラーゴム部材
２４  リムクッションゴム部材
２６  インナーライナゴム部材
３０  ベルトカバー
４０、４０Ａ、４０Ｂ、４０Ｃ、４０Ｄ  二次元コード
４２  ドットパターン領域
４２ａ  データセル領域
４２ｂ  切り出しシンボル領域
４４  空白領域
５０、５０Ａ、５０Ｂ、５０Ｃ、５０Ｄ  情報表示部
【図１】
2020006706.tif 000004
【図２】
2020006706.tif 000005
【図３】
2020006706.tif 000006
【図４】
2020006706.tif 000007
【図５】
2020006706.tif 000008
【図６】
2020006706.tif 000009
【図７】
2020006706.tif 000010
【図８】
2020006706.tif 000011
【図９】
2020006706.tif 000012
【図１０】
2020006706.tif 000013
【図１１】
2020006706.tif 000014
【図１２】
2020006706.tif 000015
【図１３】
2020006706.tif 000016